(57)【特許請求の範囲】
【請求項１】
偏平な矩形の４辺に内接し、この矩形の長辺及び短辺を垂直に２等分する線の双方に関し線対称である第１キーウエイと、この第１キーウエイの外形線の一部を外方に突出させ、他の一部を削る形状で、上記偏平な矩形の対角線の交点に関し点対称である第２キーウエイとを有し、これら第１及び第２キーウエイに共通に内接すると共に、上記偏平な矩形にも４辺において内接する第３キーウエイをマスターキーのブランクの横断面形状とし、第３キーウエイと同形の横断面形状を有するマスターキーは第１及び第２キーウエイの鍵孔を共通に通ることができるようにしたことを特徴とするキーウエイシステム。
【請求項２】
偏平な矩形の４辺に内接し、この矩形の長辺及び短辺を垂直に２等分する線の双方に関し線対称である第１キーウエイと、この第１キーウエイの外形線の一部を外方に突出させ、他の一部を削る形状で、上記偏平な矩形の対角線の交点に関し点対称である第２キーウエイと、この第２キーウエイの上下又は左右を逆にした形状の第３キーウエイとを有し、これら第１乃至第３キーウエイに共通に内接すると共に、上記偏平な矩形にも４辺において内接する第４キーウエイをマスターキーのブランクの横断面形状とし、第４キーウエイと同形の横断面形状を有するマスターキーは第１乃至第３キーウエイの鍵孔を共通に通ることができるようにしたことを特徴とするキーウエイシステム。
【発明の詳細な説明】
【０００１】
【発明の属する技術分野】
この発明は、リバーシブルなキーウエイシステムに係り、特に、鍵違いを大きくすることができ、マスターキーシステムに好適なキーウエイシステムに関する。
【０００２】
【従来の技術】
ここではキーウエイとは、鍵のブランクの横断面形状をいうものとし、また、リバーシブルとは、鍵を裏返して鍵孔に挿入しても施解錠ができる錠前の性質をいうものとする。
更にまた、キーウエイシステムとは、鍵のブランクの横断面形状、すなわち、鍵孔の横断面形状の設定方式を言うものとする。
【０００３】
ディスクタンブラーシリンダ錠、或いはレバータンブラーシリンダ錠（ロータリーディスクタンブラー錠）においては、鍵の本体部の側端縁の所定の箇所を鍵溝形成箇所として設定し、各鍵溝形成箇所に例えば複数種類の深さのＶ字形の鍵溝を形成して鍵違いを得る。
【０００４】
例えば、鍵溝形成箇所が７ヵ所で、鍵溝の深さの種類が５種類の場合には、５の７乗種類、すなわち約７８，０００の鍵違いがある。
【０００５】
この７８，０００の鍵違いの一つを選択し、この鍵違いにおいてどの鍵溝形成箇所のタンブラーを省くかによってもまた鍵違いを得ることができる。
【０００６】
この場合、７ヵ所全部の鍵溝形成箇所に鍵溝を形成したものはマスターキーとなる。
【０００７】
【発明が解決しようとする課題】
一方、グランドマスターキーシステムという概念があり、これは異なったマスターキーシステムを備えた複数のグループの錠前を１本のマスターキー（グランドマスターキー）で施解錠できるものである。
【０００８】
従来のタンブラー錠では、そのキーウエイは規格により１種類に決まっていたから、上記グランドマスターキーシステムでは、マスターキーとグランドマスターキーとを区別するためにのみ鍵溝形成箇所を使用しており、その為鍵違いが少なくなる、という不都合があった。
【０００９】
そこでこの発明は、グランドマスターキーシステムを構築する際鍵違いを少なくすることが無いキーウエイシステムを提供し、以て上記した不都合を解消することを目的としている。
【００１０】
【課題を解決するための手段】
上記の目的を達成するため、請求項１に記載の発明は、偏平な矩形の４辺に内接し、この矩形の長辺及び短辺を垂直に２等分する線の双方に関し線対称である第１キーウエイと、この第１キーウエイの外形線の一部を外方に突出させ、他の一部を削る形状で、上記偏平な矩形の対角線の交点に関し点対称である第２キーウエイとを有し、これら第１及び第２キーウエイに共通に内接すると共に、上記偏平な矩形にも４辺において内接する第３キーウエイをマスターキーのブランクの横断面形状とし、第３キーウエイと同形の横断面形状を有するマスターキーは第１及び第２キーウエイの鍵孔を共通に通ることができるようにしたことを特徴とする。
【００１１】
また、請求項２に記載の発明は、偏平な矩形の４辺に内接し、この矩形の長辺及び短辺を垂直に２等分する線の双方に関し線対称である第１キーウエイと、この第１キーウエイの外形線の一部を外方に突出させ、他の一部を削る形状で、上記偏平な矩形の対角線の交点に関し点対称である第２キーウエイと、この第２キーウエイの上下又は左右を逆にした形状の第３キーウエイとを有し、これら第１乃至第３キーウエイに共通に内接すると共に、上記偏平な矩形にも４辺において内接する第４キーウエイをマスターキーのブランクの横断面形状とし、第４キーウエイと同形の横断面形状を有するマスターキーは第１乃至第３キーウエイの鍵孔を共通に通ることができるようにしたことを特徴とする。
【００１２】
【実施例】
以下、この発明の実施例を図面を参照して説明する。
なお、説明の都合上先に請求項２に記載の発明について説明する。
【００１３】
図１において符号１は偏平な矩形（以下単に矩形という）を示し、この矩形１は上記鍵の本体部の加工前の横断面形状である。
【００１４】
そして、この矩形１にその４辺において内接し、その長辺を垂直に２等分する線２及びその短辺を垂直に２等分する線３の双方に関し線対称である形状を選択して第１キーウエイとする。
【００１５】
図示の実施例における第１キーウエイは、例えば、細長い矩形の上下左右に台形を接続したような形状である。
【００１６】
この第１キーウエイは、線分２、３の双方に関し線対称であるから、当然その交点（矩形１の対角線の交点）に関し点対称となる。
【００１７】
すなわち、この第１キーウエイ４は、リバーシブルキーの本体部の横断面形状として採用できるものである。
【００１８】
次いで、図２に示すように、第１キーウエイ４の外形線の一部を外方に突出させて突出部５を形成し、他の一部である削除部６を削った形状で、しかも矩形１の対角線の交点７に関し点対称である第２キーウエイ８を設定する。
【００１９】
この第２キーウエイ８は、点対称であるから、リバーシブルキーの本体部の横断面形状として採用できることは言うまでもない。
【００２０】
また、この第２キーウエイを横断面形状とする鍵は、突出部５が第１キーウエイ４と干渉するから、第１キーウエイ４を鍵孔断面とする錠前に使用することはできない。
【００２１】
更にまた、図３に示すように、上記第２キーウエイ８の上下又は左右（どちらでもよい）を逆にして第３キーウエイ９を設定する。
【００２２】
この第３キーウエイ９も点対称であるから、リバーシブルキーの本体部の横断面形状として採用できることは言うまでもない。
【００２３】
また、上記したと同様の理由により、この第３キーウエイを本体部の横断面形状とした鍵は、第１及び第２キーウエイを横断面形状とする錠前に挿入することができない。
【００２４】
すなわち、第１乃至第３キーウエイの３種類の錠前は、相互に別系統の錠前となる。
【００２５】
一方、図４に示すように、第１乃至第３キーウエイ４、８及び９を重合させたとき、これら第１乃至第３キーウエイに共通に内接すると共に、矩形１にも４辺で内接する形状を第４キーウエイ１１として設定する。
【００２６】
この第４キーウエイ１１も、点対称であるから、リバーシブルキーの本体部の横断面形状として採用できることは言うまでもない。
【００２７】
加えて、この第４キーウエイ１１は第１乃至第３キーウエイ４、８及び９に内接するから、これらの異なる３種類の系統の錠前のグランドマスターキーの横断面形状として採用できる。
【００２８】
上記のように構成されたこの発明の請求項２に記載の発明は、例えば、３階建ての学校校舎の１階に第１キーウエイの、２階に第２キーウエイの、３階に第３キーウエイの錠前を夫々割り当て、各階において一のキーウエイのグランドキーを定めたとき、第４のキーウエイのキーをグランドマスターキーとすることができる。
【００２９】
なお、グランドマスターキーが施解錠できる系統の数が２系統でよいときには、第２又は第３キーウエイの一方を使用しなければよい。この場合には、請求項１に記載の発明を実施することになる。
【００３０】
図５はこの発明の他の実施例を示し、この発明は、第１キーウエイ４として図１に示すものとは異なる形状を選択したもので、（Ａ）、（Ｂ）、（Ｃ）及び（Ｄ）は夫々第１、第２、第３及び第４キーウエイを示す。
【００３１】
なお、この発明を実施するにあたっては図示の実施例に限定されることなく、種々に変形して実施することができる。
【００３２】
例えば、図２において突出部５及び削除部６の左右方向の寸法が半分のものを付加すれば、請求項１に記載の発明を利用する場合４種類の、請求項２に記載の発明を利用する場合６種類のキーウエイを設定することができ、夫々の一つはグランドマスターキーとなる。
【００３３】
同様にして、一の第１キーウエイの形状に対し、理論上無数の相異なるキーウエイを設定することができる。
【００３４】
【発明の効果】
以上の説明から明らかなように、この発明は、キーウエイの種類によってマスターキーとグランドマスターキーとを区別するようにしたので、鍵違いを減らすことなくグランドマスターキーシステムを構築することができる。
【００３５】
また、この発明によるキーウエイシステムの基礎となる第１キーウエイの形状は無数にあるので、これを一般の錠前に適用した場合、鍵違いの数を無限大近くに拡大できる、という効果も奏する。
【図面の簡単な説明】
【図１】第１キーウエイの形状を説明するための線図。
【図２】第２キーウエイの形状を説明するための線図。
【図３】第３キーウエイの形状を説明するための線図。
【図４】第４キーウエイの形状を説明するための線図。
【図５】この発明の他の実施例を説明するためのキーウエイを示す線図。
【符号の説明】
１  矩形
２  長辺を垂直に２等分する線。
３  短辺を垂直に２等分する線。
４  第１キーウエイ
５  突出部
６  削除部
７  交点
８  第２キーウエイ
９  第３キーウエイ
１１  第４キーウエイ
【図１】
0004416097.tif 000002
【図２】
0004416097.tif 000003
【図３】
0004416097.tif 000004
【図４】
0004416097.tif 000005
【図５】
0004416097.tif 000006